(57)【特許請求の範囲】
【請求項１】
基盤と壁との隅に載置される際根太と、この際根太の長手方向に平行または直交する方向に設けられる複数の桟木と、これら桟木の下面と基盤との間で桟木の長手方向に一定間隔で設けられる弾性を有する脚とを備え、際根太は、所定間隔をおいて平行に延長する一対の縦材と、これら一対の縦材間に架け渡される複数の横材とを有して平面視略梯子状にあらかじめ一体に形成され、且つ、少なくとも一の際根太において一対の縦材のうち壁から離れて位置する縦材の外側面には実及び段部が設けられ、この実に、桟木の長手方向の一端に設けられる実を嵌合することにより桟木が際根太に連結一体化されることを特徴とする床下地構造。
【請求項２】
基盤と壁との隅に載置される際根太と、この際根太の長手方向に平行または直交する方向に設けられる複数の桟木と、これら桟木の下面と基盤との間で桟木の長手方向に一定間隔で設けられる弾性を有する脚とを備え、際根太は、所定間隔をおいて平行に延長する一対の縦材と、これら一対の縦材間に架け渡される板材とからあらかじめ一体に形成され、且つ、少なくとも一の際根太において一対の縦材のうち壁から離れて位置する縦材の外側面には実及び段部が設けられ、この実に、桟木の長手方向の一端に設けられる実を嵌合することにより桟木が際根太に連結一体化されることを特徴とする床下地構造。
【発明の詳細な説明】
【技術分野】
【０００１】
本発明は床下地構造に関する。本発明の床下地構造は、特に、木質系の戸建住宅の二階などの床下地、あるいは集合住宅の二階以上の床下地などに好適に適用され、床上で発生する生活騒音が階下に伝搬することを防止する。本発明の床下地構造は、大引きの上に敷設された厚物合板（たとえば厚さ２４ｍｍ、２８ｍｍなどの合板）や、大引きとその上の根太の上に敷設された１２ｍｍ合板などの基盤の上に設けられる。
【背景技術】
【０００２】
下記特許文献１には、床基盤上に設けられた際根太の上に床板が敷設され、際根太と壁材との間に際根太固定用粘着シートが設けられてなる床下地構造が示されている。壁際から離れた床板は板状の制振ゴムと支持棒によって支えられている。
【特許文献１】特開２００２−３０９７５７号公報
【発明の開示】
【発明が解決しようとする課題】
【０００３】
上記従来の床下地構造は、床上を歩行したり、床上に物が落下したりすることによって発生する生活騒音が際根太から壁を介して階下に伝搬することを比較的良好に防止するが、床板から床基盤を介して階下に伝わる生活騒音に関してはその伝搬防止効果が不十分であり、さらなる改善策が要望されていた。
【０００４】
また、壁面に沿って重い家具類を床に載置した場合において、床板を支持する際根太の幅が小さいと、家具類の前側の重量が床板にかかり、床板の下に支持するものが存在しない箇所では床板がたわみ、家具類が前側（壁から遠ざかる方向）に傾いたり、家具自体や家具内の収納物が振動して不快音を発するという問題があった。
【０００５】
したがって、本発明が解決しようとする課題は、木造戸建て住宅の二階や木造集合住宅の二階以上の床下地構造において、生活騒音が階下に伝搬することを効果的に防止するとともに、家具類を壁に沿って載置しても傾きや振動などを生じさせることなく安定した状態に支持することができるような強度の大きな床下地構造を提供することである。
【課題を解決するための手段】
【０００６】
上記の課題を解決するため、請求項１に係る本発明は、基盤と壁との隅に載置される際根太と、この際根太の長手方向に平行または直交する方向に設けられる複数の桟木と、これら桟木の下面と基盤との間で桟木の長手方向に一定間隔で設けられる弾性を有する脚とを備え、際根太は、所定間隔をおいて平行に延長する一対の縦材と、これら一対の縦材間に架け渡される複数の横材とを有して平面視略梯子状にあらかじめ一体に形成され、且つ、少なくとも一の際根太において一対の縦材のうち壁から離れて位置する縦材の外側面には実及び段部が設けられ、この実に、桟木の長手方向の一端に設けられる実を嵌合することにより桟木が際根太に連結一体化されることを特徴とする床下地構造である。
【０００７】
また、請求項２に係る本発明は、基盤と壁との隅に載置される際根太と、この際根太の長手方向に平行または直交する方向に設けられる複数の桟木と、これら桟木の下面と基盤との間で桟木の長手方向に一定間隔で設けられる弾性を有する脚とを備え、際根太は、所定間隔をおいて平行に延長する一対の縦材と、これら一対の縦材間に架け渡される板材とからあらかじめ一体に形成され、且つ、少なくとも一の際根太において一対の縦材のうち壁から離れて位置する縦材の外側面には実及び段部が設けられ、この実に、桟木の長手方向の一端に設けられる実を嵌合することにより桟木が際根太に連結一体化されることを特徴とする床下地構造である。
【発明の効果】
【０００８】
本発明の床下地構造によれば、際根太で支持される床板を除く大部分の床板は桟木および弾性を有する脚で支持される。この床上で歩行したり、床上に物が落下したりすることによって発生する生活騒音は、床板から桟木に伝達されるが、その多くは桟木の下に設けられる弾性を有する脚によって遮断され、階下への伝搬を実質的に防止する。
【０００９】
請求項１に係る本発明の床下地構造の際根太は、所定間隔をおいて平行に延長する一対の縦材と、これら一対の縦材間に架け渡される複数の横材とを有して平面視略梯子状に形成されるので、この上に重い家具類が載置されても、その重量を実質的に際根太で支えることができる。したがって、家具類が傾いたり、家具自体や家具内の収納物が振動して不快音を発するといった従来技術の不利欠点を露呈することがなく、且つ、床板の振動やたわみもほとんど生じない。
【００１０】
請求項２に係る本発明の床下地構造の際根太は、所定間隔をおいて平行に延長する一対の縦材と、これら一対の縦材間に架け渡される板材とから形成されるので、この上に重い家具類が載置されても、その重量を際根太の板面でバランス良く支えることができる。したがって、家具類が傾いたり、家具自体や家具内の収納物が振動して不快音を発するといった従来技術の不利欠点を露呈することがなく、且つ、床板の振動やたわみもほとんど生じない。さらに、この床下地構造の上に施工される床板は際根太の板材上であれば固定位置が限定されないので、施工性が良い。
【００１１】
さらに、際根太を構成する一対の縦材のうち壁から離れて位置する縦材の外側面には実が設けられ、これを桟木の長手方向の一端に設けられる実に嵌合するので、際根太に対して直交方向に設けられる複数の桟木を一体的に連結することができ、床下地構造としての強度が確保される。
【発明を実施するための最良の形態】
【００１２】
本発明の床下地構造は、基盤と壁との隅に載置される際根太と、この際根太の長手方向に平行または直交する方向に設けられる複数の桟木と、これら桟木の下面と基盤との間で桟木の長手方向に一定間隔で設けられる弾性を有する脚とを備えて構成される。
【００１３】
本発明の一実施形態において、際根太は、所定間隔をおいて平行に延長する一対の縦材と、これら一対の縦材間に架け渡される複数の横材とを有して平面視略梯子状に形成される。際根太を構成する一対の縦材および複数の横材は、いずれも木質系であり、たとえばＬＶＬ、合板、ＭＤＦなどである。一対の縦材において、一方の縦材の中心線と他方の縦材の中心線との間の間隔（所定の間隔）Ｄ１（図５）は、たとえば２５０〜５００ｍｍの範囲内で使用目的に応じて適宜の間隔を設定するが、一例としてＤ１＝２７８ｍｍである。横材のピッチＰ１（図５）は床板の幅寸法に一致させることが好ましく、たとえばＰ１＝３０３ｍｍである。際根太の厚さＨ１はたとえば４０〜６０ｍｍの範囲内において、本発明の床下地構造の下に設ける合板と根太ないし大引きの高さ寸法に応じて設定するが、一例としてＨ１＝５０ｍｍである。
【００１４】
本発明の他の実施形態において、際根太は、所定間隔をおいて平行に延長する一対の縦材と、これら一対の縦材間に架け渡される板材とから形成される。際根太を構成する一対の縦材および板材は、いずれも木質系であり、たとえばＬＶＬ、合板、ＭＤＦなどである。この際根太の厚さＨ６はたとえば４０〜６０ｍｍの範囲内において、本発明の床下地構造の下に設ける合板と根太ないし大引きの高さ寸法に応じて設定するが、一例としてＨ６＝５０ｍｍである。また、際根太の幅は２５０〜５００ｍｍ、板材の幅は２００〜５００ｍｍの範囲内で使用目的に応じて適宜の間隔を設定するが、一例として際根太と板材を同幅３２８ｍｍとして、板材の木口面が一対の縦材の外側面と垂直上で面一となるようにして板材を縦材間に架け渡しても良い。あるいは、床下地において内側となる縦材の片側端部に高さＨ７となるように段部を設けて、該段部上に突出するように板材を架け渡すことにより該段部と板材突出端との間に嵌合用の凹部を形成するようにしても良い。この場合の寸法の一例は、際根太の幅Ｄ５＝３５３ｍｍ、板材の幅Ｄ７＝３２８ｍｍ、内側縦材の段部の幅Ｄ６＝２５ｍｍ、際根太の厚さＨ６＝５０ｍｍ、段部の形成高さＨ７＝２５ｍｍである。
【００１５】
際根太を構成する一対の縦材のうち、壁から離れて位置する縦材の少なくとも外側面には実が設けられるが、該縦材の両側面に実が設けられていても良い。実の形状は、あいじゃくり、やといざね、ほんざねなどである。この実は雌実または雄実として設けられ、後述する桟木の長手方向一端に対応する形状を有するものとして設けられる雄実または雌実と嵌合する。なお、ここで実とは互いに嵌合し得る凹凸形状を広く包含する概念であり、必ずしも一方の凸部が他方の凹部に実質的に隙間なく嵌め込まれる形状に限らない。また、縦材自体（縦材の厚さ範囲内）に実が形成される場合だけでなく、縦材の外側面に設けた段部とその上に配される板材との間に嵌合用の凹部が形成されるような形態も含むものである。
【００１６】
際根太は基盤上に載置されるが、必ずしも際根太の下面が全面的に基盤に接触している必要はなく、たとえば際根太の下面に駒またはブロックを適宜ピッチで設けて該駒またはブロックで基盤上に支持されるものであっても良い（図１１）。また、際根太を構成する縦材の下面または駒ないしブロックの下面に軟質シートを貼着または被着して防音性を高めることができる。
【００１７】
桟木は際根太の厚さよりも小さい厚さを有するものとし、たとえば際根太の厚さＨ１の二分の一程度の厚さを目安とする。桟木の材質は木質系であり、たとえばＬＶＬ、合板、無垢材などであるが、強度面からＬＶＬが好ましい。桟木の上面には床板が敷設されるので、桟木の上面は実質的に平坦であることが好ましい。桟木の下面も実質的に平坦であることが好ましく、該平坦な下面から脚が突設されている。
【００１８】
桟木の長手方向の一端には、際根太において壁から離れて位置する縦材の外側面に形成される実と嵌合する実が設けられる。たとえば、桟木の長手方向一端に設けられる実が雄実である場合は、上記縦材の外側面の実はこの雄実に嵌合可能な形状の雌実として形成される。桟木の長手方向の他端には、長手方向一端に設けられる実に嵌合可能な形状の実が形成されて、桟木同士を長手方向に連結可能とすることが好ましい。
【００１９】
桟木の下面には上述のように脚が突設されるが、たとえば、桟木の下面に複数の穴を形成して、これらの穴に脚の上端突起部を挿入・固定することによって脚を突設することができる。脚の突設ピッチＰ２（図６）は床板の幅に一致または略一致させることが好ましく、たとえばＰ２＝３０３ｍｍである。脚は、たとえば合成ゴム、天然ゴム、合成樹脂などの弾性を有する材料から形成され、その硬さはデュロメータ硬さ（ＪＩＳ  Ｋ６２５３：２００６）でＡ５０〜Ａ９０、好ましくはＡ６５〜Ａ８５である。硬さがＡ５０未満のときは、この脚を介して荷重を受ける床のたわみが大きく床の平坦度を維持できないこととなり、床の平坦度を維持する観点からＡ６５以上がより好ましい。一方、硬さがＡ９０を超えると床の防音性が劣り、防音性を維持する観点からＡ８５以上がより好ましい。
【００２０】
脚の高さは、際根太の厚さから桟木の厚さを引いた寸法となり、たとえば際根太の厚さＨ１＝５０ｍｍ、桟木の厚さＨ2＝２４ｍｍの場合は、脚の高さＨ3＝２６ｍｍとなる。脚の形状は任意であり、円形や四角形その他の断面形状の柱形状または切頭錐形状とすることができる。その側面に環状などの凹みが一または複数設けられたものであっても良い。
【００２１】
本発明の一実施例による床下地構造について、図１ないし図６を参照して以下に詳述する。
【００２２】
図１ないし図４に示すように、この床下地構造１０は、住宅の床において大引き２の上に敷設された厚物合板１（２４ｍｍ厚）の上に設けられ、その上には床板３が敷設される。符号５は幅木を示す。
【００２３】
床下地構造１０は、厚物合板１と部屋の壁４とがなす隅の四周に沿って設けられる際根太１１と、床板３の長手方向と一致する方向に延長する際根太１１に対して直交する方向に延長するように該際根太１１に連結される複数の桟木１２とを有する。桟木１２の下面には軟質材で形成された脚（ゴム脚）１３が長手方向に一定間隔をおいて設けられ、このゴム脚１３を介して桟木１２を床基盤である厚物合板１上に支持している。床板３はこれら際根太１１および桟木１２の上に釘や接着剤など（図示せず）で敷設される。
【００２４】
際根太１１は、図５に示すように、所定間隔をおいて平行に延長する一対の縦材１１１，１１２と、これら一対の縦材１１１，１１２間に架け渡される複数の横材１１３とを有して平面視略梯子状に形成される。この実施例における際根太１１の大きさは、長さＬ１＝１７７７ｍｍ、幅＝３５３ｍｍ、芯々幅Ｄ１＝３０３ｍｍ、厚さＨ１＝５０ｍｍである。横材１１３の取付ピッチＰ１＝３０３ｍｍである。縦材の一方１１１には側面に開口する雌実１１４が長手方向全長に亘って設けられている。縦材１１１，１１２の幅は５０ｍｍ、横材１１３の幅は１００ｍｍであり、これらの厚さは同一（Ｈ１）である。縦材１１１，１１２と横材１１３の材質はいずれもＬＶＬである。
【００２５】
桟木１２は、図６に示すように、その長手方向一端に雄実１２１が設けられると共に他端に該雄実１２１を嵌合可能な形状の雌実１２２が設けられたＬＶＬからなる角棒状の部材であり、この実施例では、長さＬ２＝９１０ｍｍ、幅Ｄ２＝５０ｍｍ、厚さＨ２＝２４ｍｍである。桟木１２の下面には所定ピッチＰ２＝３０３ｍｍで３箇所に穴１２３が設けられている。これらの穴１２３にはゴム脚１３の上端突起１３１（図３）が挿入される。このとき、穴１２３の内部にあらかじめ適量の接着剤を注入しておくと良い。この接着剤としては、シリコン系シーリング剤、アクリル樹脂系接着剤、ゴム系接着剤、ウレタン樹脂系接着剤などが適している。桟木１２の雄実１２１が形成された側の先端部の寸法Ｑは、該寸法Ｑ＋際根太１１の縦材の幅寸法（５０ｍｍ）＝床板３の幅寸法（３０３ｍｍ）となるように定められる。したがって、この場合はＱ＝２５３ｍｍとなる。
【００２６】
この実施例におけるゴム脚１３は、図３に示すように、直径４０ｍｍ、上端突起１３１を除いた高さＨ３＝２６ｍｍの円柱形であり、その側面に環状の凹み１３２を有している。環状の凹み１３２は、高さ８．５ｍｍ、深さ５．５ｍｍの矩形をゴム脚１３の縦軸を中心に回転させて得られる形状である。ゴム脚１３は合成ゴムで形成され、その硬さはデュロメータ硬さ（ＪＩＳ  Ｋ６２５３：２００６）でＡ７５に相当する。
【００２７】
図３を参照して、図５に示す際根太１１は、一方の縦材１１２の側面をクッション材１４を介して壁面４ａに当接させた状態で厚物合板１上に載置する。クッション材１４は予め際根太１１の縦材１１２の側面に貼着させておいても良い。クッション材１４は連続して設けても間隔をおいて断続的に設けても良い。クッション材１４を設けることで、際根太１１と壁面４ａとが直に接触することがなくなり、防音性能を向上させることができる。クッション材１４の材質は任意であり、たとえばポリオレフィン樹脂、ウレタン樹脂、アクリル樹脂などの発泡体、ネオプレンゴム、ブチルゴムなどの発泡体を使用することができる。
【００２８】
また、このようにして際根太１１を配置すると、他方の縦材１１１が壁４から離れて位置し、雌実１１４が室内側に開口する。この雌実１１４に桟木１２の長手方向一端の雄実１２１を嵌合させることにより、桟木１２が際根太１１と連結される。桟木１２は、その下面の穴１２３に上端突起１３１を挿入することによって取り付けられたゴム脚１３を介して厚物合板１上に支持される。かかる取付状態におけるゴム脚１３の高さＨ３は、際根太の厚さＨ１＝５０ｍｍと桟木１２の厚さＨ２＝２４ｍｍとの差に等しく、したがって上述のようにＨ３＝２６ｍｍである。
【００２９】
桟木１２の長手方向他端には、雄実１２１を嵌合可能な形状（したがって際根太１１の縦材１１１の側面に設けられる雌実１１４と略同一形状）の雌実１２２が形成されているので、これら雄実１２１と雌実１２２との嵌合を介して長手方向に複数連結して延長させることができる（図２参照）。
【００３０】
このようにして適宜延長された後、桟木１２は、図３と反対側の壁面４ａ近くに設けられた際根太１１に対しては、実結合ではなく、その木口を際根太１１の縦材１１２の内側面に突き合わせ、あるいは若干の隙間１６を残した状態で施工される（図４）。この場合、桟木１２の突き合わせ側端部と厚物合板１との間にスペーサ１５を配して桟木１２を安定的に支持することが好ましい。なお、桟木１２の該端部は寸法調整のために切断されているので、雌実１２２は存在していない。また、図４において、際根太１１の縦材１１１の側面には雌実１１４が設けられているが、この雌実１１４は壁面４ａにクッション材１４を介して当接するので、桟木１２の雄実１２１を嵌合するものとしては用いられない。
【００３１】
次に、図７〜図１０を参照して、この床下地構造の施工方法について説明する。この床下地構造は、下記説明から理解されるように、簡易施工ができる利点がある。
【００３２】
まず、図７に示すように、この床下地構造を設ける部屋の下地を調整しておく。すなわち、大引き２などの上に敷設した２４ｍｍ厚の厚物合板１（東京合板工業組合、東北合板工業組合の「ネダノン」（商標）など）に墨出し６を行う。
【００３３】
その後、図８に示すように、際根太１１を壁面４ａとの間にそれぞれ３ｍｍの隙間をあけ、長さ７５ｍｍ以上のビス１７で厚物合板１に固定する。
【００３４】
そして、図９に示すように、桟木１２の長手方向一端の雄実１２１を際根太１１の縦材１１１の外側面に開口する雌実１１４に差し込み、ビス１８で実部分を固定する。吸音材を用いる場合は、桟木１２の間に吸音材１９を敷き詰める。吸音材１９はある程度の硬さを持った材質であることが好ましく、たとえばポリスチレンフォーム、ポリエチレンフォーム、フェノールフォーム、硬質ウレタンフォームなどであり、密度はたとえば２０ｋｇ／ｍ３以上である。吸音材１９の厚さについては、ゴム脚１３が嵌入された桟木１２の高さよりも薄く吸音材１９を敷き詰めて、吸音材１９表面と床板３裏面との間に隙間が形成されるようにすることが好ましい。前述のようにある程度の硬さを有する吸音材１９を用いる場合、吸音効果だけでなく、床上を歩行した際に生ずる床板３の沈み込みを支持して、それ以上の沈み込みを防止する効果も発揮するので、たとえば床板３の沈み込み量を最大２ｍｍと仮定して、これよりも若干小さい隙間を吸音材１９表面と床板３裏面との間に与えておくことにより、それ以上の沈み込みを防止することができる。
【００３５】
次いで、図１０に示すように、際根太１１および桟木１２の表面に接着剤（図示せず）を塗布し、この上に床板３を壁面４ａから３ｍｍの隙間をあけて載置し、フロアネイルまたはステープルなどの固着具２０で固定する。次に、桟木１２を雄実１２１と雌実１２２との嵌合を介して長手方向に連結し、該実嵌合部に長さ２５ｍｍ程度のビス２１を打ち込んで固定する。このようにして連結していき、雄実１２１を差し込んでビス１８で固定した際根太１１に対向する際根太１１（図１０左下の際根太）との間に３〜５ｍｍ程度の隙間１６（図４）があくように端部をカットする。
【００３６】
そして、図１に示すように床板３を床下地構造１０の全体に施工した後、幅木５を取り付け、接着剤が乾くまで養生する。このようにして、床が完成する。
【００３７】
図１１は、本発明の床下地構造１０に用いる際根太についての別の構成例を示す。この際根太２２は、縦材２２１，２２２と横材２２３とが梯子状に形成された点では前述の際根太１１と同様であるが、縦材２２１，２２２の下面に、横材２２３の取付位置に対応して横材取付ピッチと同一のピッチＰ４＝３０３ｍｍで直方体状のブロック２２４が固定され、さらにブロック２２４の下面に厚さ１ｍｍ程度の軟質シート２２５が貼着されている。この実施例の際根太２２の大きさは、長さＬ４＝１７７７ｍｍ、幅＝３５３ｍｍ、芯々幅Ｄ３＝３０３ｍｍであり、縦材２２１，２２２の厚さＨ４＝２４ｍｍ、ブロックの厚さＨ５＝２５ｍｍである。一方の縦材２２１の側面に雌実２２６が形成されている点は前述の際根太１１と同様である。縦材２２１，２２２の幅は５０ｍｍ、横材２２３の幅は１００ｍｍであり、これらの厚さは同一（Ｈ４）である。縦材２２１，２２２と横材２２３の材質はいずれもＬＶＬである。
【００３８】
図１２は、本発明の床下地構造１０に用いる際根太についてのさらに別の構成例を示す。この際根太２３は、所定間隔をおいて平行に延長する一対の縦材２３１，２３２と、これら一対の縦材２３１，２３２間に架け渡される一枚の幅広の板材２３３とを有して形成されている。この実施例における際根太２３の大きさは、長さＬ１＝１８１８ｍｍ、幅Ｄ４＝３２８ｍｍ、厚さＨ６＝５０ｍｍである。この際根太２３の厚さＨ６は、ゴム脚１３が嵌入された桟木１２の高さと等しくされている。板材２３３の大きさは、際根太２３と同じで、長さＬ１＝１８１８ｍｍ、幅Ｄ４＝３２８ｍｍである。
【００３９】
縦材２３１，２３２の高さはいずれも際根太２３の厚さＨ６から板材２３３の厚さを減じた寸法と一致し、長さは際根太２３の長さＬ１と一致するが、この実施例では、床下地構造１０において外側に位置する縦材２３２は断面方形状の角棒であるのに対し、内側に位置する縦材２３１は該角棒の片側上端を高さＨ７＝２５ｍｍの高さ位置で切り欠いて段部を長手方向全長に亘って形成し、この段部と板材２３３の突出端との間に、桟木１２の雄実１２１を受け入れるための嵌合用凹部２３４を形成している。縦材２３１，２３２の材質はＬＶＬであり、板材２３３の材質は合板である。
【００４０】
図１３（ａ）〜（ｃ）は、本発明の床下地構造１０に用いる際根太についてのさらに別の構成例を示す。この際根太２４は、所定間隔をおいて平行に延長する一対の縦材２４１，２４２と、これら一対の縦材２４１，２４２間に架け渡される一枚の幅広の板材２４３とを有して形成されている。この実施例における際根太２４の大きさは、長さＬ１＝１８１８ｍｍ、幅Ｄ５＝３５３ｍｍ、厚さＨ６＝５０ｍｍである。この際根太２４の厚さＨ６は、ゴム脚１３が嵌入された桟木１２の高さと等しくされている。板材２４３の大きさは、長さが際根太２４と同じＬ１＝１８１８ｍｍであるが、幅Ｄ７＝３２８ｍｍで際根太２４よりＤ６＝２５ｍｍだけ幅狭とされている。
【００４１】
縦材２４１，２４２の高さはいずれも際根太２４の厚さＨ６から板材２４３の厚さを減じた寸法と一致し、長さは際根太２４の長さＬ１と一致するが、この実施例（図１３（ｃ））では、床下地構造１０において外側に位置する縦材２４２は断面方形状の角棒であるのに対し、内側に位置する縦材２４１は該角棒の片側上端を高さＨ７＝２５ｍｍの高さ位置で切り欠いて段部を長手方向全長に亘って形成し、この段部と板材２４３の突出端との間に、桟木１２の雄実１２１を受け入れるための嵌合用凹部２４４を形成している。縦材２４１，２４２と板材２４３の材質はいずれもＬＶＬである。
【００４２】
図１３（ｄ）〜（ｆ）は縦材２４１，２４２および嵌合用凹部２４４の形成手法についての変形例を示す。縦材２４１，２４２はそれぞれ単一の棒状部材であっても良いが、図１３（ｄ）に示すように平板状部材と棒状部材とを組み合せて接合することにより形成しても良い。このようにすると縦材２４１の外側上端部を切り欠く加工上の手間を省いて嵌合用凹部２４４を形成することができる。また、縦材２４１，２４２の一方または両方の内側上端部に段部を切り欠きまたは平板状部材と棒状部材との組み合せにより形成して、該段部に架け渡すように板材２４３を配しても良い。このようにすると板材２４３が安定的に縦材２４１，２４２間に架け渡され、際根太２４３としての一体性および強度が増大する。また、縦材２４１の外側上端部に形成した段部と板材２４３の突出端との間に嵌合用凹部２４４を形成することに代えて、縦材２４１自体に嵌合用凹部ないし雌実２４４を形成しても良い。
【００４３】
次に、図１４〜図１６を参照して、板状の際根太２３，２４（以下、板状際根太２３で代表する）を用いた床下地構造の施工方法について説明する。この床下地構造は、下記説明から理解されるように、簡易施工ができる利点がある。
【００４４】
図７を参照して既述したようにして、大引き２などの上に敷設した２４ｍｍ厚の厚物合板１（東京合板工業組合、東北合板工業組合の「ネダノン」（商標）など）に墨出し６を行って、この床下地構造を設ける部屋の下地を調整した後、図１４に示すように、際根太２３を壁面との間にそれぞれ３ｍｍの隙間をあけ、長さ７５ｍｍ以上のビス１７で厚物合板１に固定する。
【００４５】
そして、図１５に示すように、桟木１２の長手方向一端の雄実１２１を際根太２３の縦材２３１の外側面に開口する凹部２３４に差し込み、ビス１８で実部分を固定する。吸音材を用いる場合は、桟木１２の間に吸音材１９を敷き詰める。吸音材１９はある程度の硬さを持った材質であることが好ましく、たとえばポリスチレンフォーム、ポリエチレンフォーム、フェノールフォーム、硬質ウレタンフォームなどであり、密度はたとえば２０ｋｇ／ｍ３以上である。吸音材１９の厚さについては、ゴム脚１３が嵌入された桟木１２の高さよりも薄く吸音材１９を敷き詰めて、吸音材１９表面と床板３裏面との間に隙間が形成されるようにすることが好ましい。前述のようにある程度の硬さを有する吸音材１９を用いる場合、吸音効果だけでなく、床上を歩行した際に生ずる床板３の沈み込みを支持して、それ以上の沈み込みを防止する効果も発揮するので、たとえば床板３の沈み込み量を最大２ｍｍと仮定して、これよりも若干小さい隙間を吸音材１９表面と床板３裏面との間に与えておくことにより、それ以上の沈み込みを防止することができる。
【００４６】
次いで、図１６に示すように、際根太２３および桟木１２の表面に接着剤（図示せず）を塗布し、この上に床板３を壁面から３ｍｍの隙間をあけて載置し、フロアネイルまたはステープルなどの固着具２０で固定する。次に、桟木１２を雄実１２１と雌実１２２との嵌合を介して長手方向に連結し、該実嵌合部に長さ２５ｍｍ程度のビス２１を打ち込んで固定する。このようにして連結していき、雄実１２１を差し込んでビス１８で固定した際根太２３に対向する際根太２３（図１６左下の際根太）との間に３〜５ｍｍ程度の隙間１６（図４）があくように端部をカットする。
【００４７】
このようにして床板３を床下地構造１０の全体に施工した後、幅木５を取り付け、接着剤が乾くまで養生して、床を完成させる。
【００４８】
本発明の床下地構造を使用した床の防音性能を検証するため、図１〜図６の構成の床下地構造１０（ただし吸音材１９は使用せず）を用いた床（以下「本構造床」という。）と、厚物合板２４ｍｍの上に床板１２ｍｍを敷設した床（以下「比較対象床」という。）との防音性能比較試験を行った。
【００４９】
軽量衝撃音の測定は、ＪＩＳ  Ａ １４１８−１に従い、５００ｇハンマー（直径３０ｍｍの円筒形）を４ｃｍ高さから自由落下させて音の減衰量を測定した。このときの音は、生活騒音で言えば、スプーン落下、いすを引く音、スリッパのパタパタ音、掃除機で床をこする音などに相当するものである。
【００５０】
この結果、５００Ｈｚの測定値は、本構造床ではＬＬ−７２、比較対象床ではＬＬ−８１であった。したがって、本構造床を採用したことにより８．０ｄＢの改善が見られた。なお、本構造床においてさらに吸音材１９を敷き詰めて同様に試験したところ、さらに３ｄＢ（５００Ｈｚ）程度の改善が見られた。
【００５１】
また、重量衝撃音の測定は、ＪＩＳ  Ａ １４１８−２に従い、軽自動車のタイヤ（重さ７．３ｋｇ、空気圧２．４ｋｇ／ｃｍ２）を８５ｃｍ高さから自由落下させて音の減衰量を測定した。このときの音は、生活騒音で言えば、子供が飛び跳ねたときの音（ドスン、ドスン）に相当するものである。
【００５２】
この結果、６３Ｈｚの測定値は、本構造床ではＬＨ−６９、比較対象床ではＬＨ−７５であった。したがって、本構造床を採用したことにより５．６ｄＢの改善が見られた。なお、本構造床においてさらに吸音材１９を敷き詰めて同様に試験したが、重量床衝撃音については吸音材を用いても有意な改善は見られなかった。
【００５３】
以上より、本構造床によれば比較対象床に比べて軽量衝撃音、重量衝撃音のいずれにおいても顕著な改善が見られ、生活騒音の階下への伝搬を効果的に防止することができるものであることが実証された。
【００５４】
次に、本発明の床下地構造を使用した床について床たわみ性試験を行った。人間が片足で立ったときを想定して８０ｋｇ荷重を床上に置いた載荷板（直径５０ｍｍ）にかけた。載荷板の設置位置は桟木と桟木の間の中央とした。荷重をかける前の床板が荷重をかけることによってたわむ変形量（変位）を、床板３の裏面に設置した１／１００ｍｍダイヤルゲージで測定した。
【００５５】
たわみ変形量は４．１８ｍｍであったが、部屋の床面全体から判断するとほとんど目立たないものであり、本構造床によれば、重量物を載置した場合でも床のたわみ変形を十分に抑制できることが実証された。
【図面の簡単な説明】
【００５６】
【図１】本発明の一実施例による床下地構造を床板と共に示す斜視図である。
【図２】この床下地構造を大部分の床板を取り除いた状態で示す斜視図である。
【図３】図２におけるＡ−Ａ断面図である。
【図４】図３とは反対側の壁面近くの断面図である。
【図５】この床下地構造に用いる際根太を示す平面図（ａ）、正面図（ｂ）および左側面図（ｃ）である。
【図６】この床下地構造に用いる桟木を示す断面図（ａ）および下面図（ｂ）である。
【図７】この床下地構造の施工方法を示す図である。
【図８】同施工方法を示す図である。
【図９】同施工方法を示す図である。
【図１０】同施工方法を示す図である。
【図１１】この床下地構造における際根太の別の構成例を示す平面図（ａ）、正面図（ｂ）および左側面図（ｃ）である。
【図１２】この床下地構造における際根太のさらに別の構成例を示す平面図（ａ）、正面図（ｂ）および左側面図（ｃ）である。
【図１３】この床下地構造における際根太のさらに別の構成例を示す平面図（ａ）、正面図（ｂ）および左側面図（ｃ）である。同図（ｄ）〜（ｆ）は際根太における縦材と嵌合用凹部についての異なる形態例を示す同図（ｃ）と同様の左側面図である。
【図１４】図１２の際根太を用いた床下地構造の施工方法を示す図である。
【図１５】同施工方法を示す図である。
【図１６】同施工方法を示す図である。
【符号の説明】
【００５７】
１  厚物合板（基盤）
２  大引き
３  床板
４  壁
５  幅木
１０  床下地構造
１１  際根太
１１１，１１２  縦材
１１３  横材
１１４  雌実（実）
１２  桟木
１２１  雄実（実）
１２２  雌実
１２３  穴
１３  ゴム脚（弾性を有する脚）
１３１  上端突起
１３２  環状の凹み
１４  クッション材
１５  スペーサ
１６  隙間
１７  ビス
１８  ビス
１９  吸音材
２０  フロアネイル
２１  ビス
２２  際根太
２２１，２２２  縦材
２２３  横材
２２４  ブロック
２２５  軟質シート
２２６  雌実（実）
２３  際根太
２３１，２３２  縦材
２３３  板材
２３４  嵌合用凹部（実）
２４  際根太
２４１，２４２  縦材
２４３  板材
２４４  嵌合用凹部（実）
【図１】
0005363765.tif 000002
【図２】
0005363765.tif 000003
【図３】
0005363765.tif 000004
【図４】
0005363765.tif 000005
【図５】
0005363765.tif 000006
【図６】
0005363765.tif 000007
【図７】
0005363765.tif 000008
【図８】
0005363765.tif 000009
【図９】
0005363765.tif 000010
【図１０】
0005363765.tif 000011
【図１１】
0005363765.tif 000012
【図１２】
0005363765.tif 000013
【図１３】
0005363765.tif 000014
【図１４】
0005363765.tif 000015
【図１５】
0005363765.tif 000016
【図１６】
0005363765.tif 000017